(57)【特許請求の範囲】
【請求項１】
掲示用紙を収納する掲示用紙収納枠の形成方法において、
裏側シートに前記掲示用紙保持枠が形成される表側シートを重ねて矩形で袋状の二重シートを形成し、
前記二重シートを複数枚重ねて刃型にてプレスして各二重シートの表側シートと裏側シートに切り離し可能な接続部を適宜数残して不連続の矩形の切り取り線を前記掲示用紙保持枠が形成できる位置に形成し、
前記切り取り線を形成した前記二重シートの前記裏側シートの裏面に、貼着面に貼着剥離可能な貼着剥離層を貼着した後、前記表側シートの前記切り取り線内の切除部分を前記切り取り線に沿って切除して切除跡に窓部を形成して前記掲示用紙保持枠を形成することを特徴とする掲示用紙収納枠の形成方法。
【請求項２】
掲示用紙を収納する掲示用紙収納枠の形成方法において、
裏側シートに前記掲示用紙保持枠が形成される表側シートを重ねて矩形で袋状の二重シートを二つ連続して形成し、
前記二つの連続した二重シートを複数枚重ねて刃型にてプレスして各二重シートの表側シートと裏側シートに切り離し可能な接続部を適宜数残して不連続の矩形の切り取り線を前記掲示用紙保持枠が形成できる位置に形成し、
前記切り取り線を形成した前記二つの連続した二重シートの前記裏側シートの裏面に、貼着面に貼着剥離可能な貼着剥離層を貼着した後、前記表側シートの前記切り取り線内の切除部分を前記切り取り線に沿って切除して切除跡に窓部を形成して前記掲示用紙保持枠を形成することを特徴とする掲示用紙収納枠の形成方法。
【請求項３】
掲示用紙を収納する掲示用紙収納枠の形成方法において、
前記掲示用紙保持枠の下側に形成される下ポケット側を内側に折り返して折返しシートを形成した裏側シートに前記掲示用紙保持枠が形成される表側シートを重ねて矩形で袋状の二重シートを形成するとともに、前記二重シート側が開放されたポケットを形成し、
前記二重シートを複数枚重ねて刃型にてプレスして各二重シートの表側シートと裏側シートに切り離し可能な接続部を適宜数残して不連続の矩形の切り取り線を前記掲示用紙保持枠が形成できる位置に形成し、
前記切り取り線を形成した前記二重シートの前記裏側シートの裏面に、貼着面に貼着剥離可能な貼着剥離層を貼着した後、前記表側シートの前記切り取り線内の切除部分を前記切り取り線に沿って切除して切除跡に窓部を形成して前記掲示用紙保持枠を形成することを特徴とする掲示用紙収納枠の形成方法。
【発明の詳細な説明】
【技術分野】
【０００１】
本発明は、カレンダー用紙やお知らせなどの掲示用紙を収納する掲示用紙収納枠の形成方法に関し、特に壁や冷蔵庫などに貼着剥離可能な貼着剥離層が裏面に形成されている掲示用紙収納枠の形成方法に関する。
【背景技術】
【０００２】
本出願人は、カレンダー、お知らせ、広告、メモ用紙あるいは写真などを収納する掲示物収納袋として、冷蔵庫や壁面などに繰り返し貼着剥離可能な掲示物収納袋を提案した（特許文献１参照）。この掲示物収納袋は、図１１に示すように、上シート２１と下シート２２が重ねられた２枚シートの三辺がシールされ、残りの一辺に掲示物２３を挿入するための掲示物挿入口２４が形成され且つ一面に掲示物２３が透視できる透明部が形成されるとともに、収納袋２０の裏面側には繰り返し貼着剥離可能な貼着剥離層２３が設けられたものである。貼着剥離層２５の剥離紙２６を剥がして貼着糊層２７を冷蔵庫や壁面などに貼着する。
【０００３】
この掲示物収納袋にカレンダー用紙を挿入して掲示している場合、カレンダー用紙に行事などをメモする際に、カレンダー用紙には上シート２１があるために直接メモすることができないので、カレンダー用紙を収納袋から取り出してメモしなくてはならない。
【０００４】
そこで、カレンダーの中には、例えば、複数枚のカレンダー用紙が綴じ具や固定具で綴じられ、使用時に綴じ具あるいは固定具に設けられた吊り下げ用孔にピンを通して壁に刺したりあるいは吊り下げ用孔を壁に固定されているフックに通したりして吊り下げる吊り下げ式カレンダーにはカレンダー用紙に筆記可能なカレンダーが提案されている（特許文献２、３参照）。
【０００５】
前記特許文献２には、筆記具やメモ紙を収納したり取付けたりし、カレンダーに記入できるとともに、お知らせやメモ紙を見易い場所に掲示したりできるカレンダーを提供することを目的として、厚手な台紙のカレンダー本体の略上半分にカレンダー表示部を設け、カレンダー本体の略下半分の左右には、少なくともその一方に上方が開口する袋状のポケット部を取付けるととともに、他方の上部にクリップを取付け、カレンダー本体の下端が折曲げられて一体に形成する受皿部を突設したカレンダーが開示されている。
【０００６】
また、前記特許文献３には、筆記具や眼鏡を収納して、カレンダーを楽に見ることができるとともに、メモ記入欄に楽にメモを記入することができるカレンダーとして、１月分あるいは２月分のカレンダー表示がされた少なくとも１２枚あるいは６枚以上重ねられた月カレンダー用紙と、この月カレンダー用紙の背面に配置され、該月カレンダー用紙の下方あるいは下部の両側部に突出する台紙と、この台紙の上部あるいは上部寄りの部位と前記月カレンダー用紙の上端部とを固定する固定具と、前記月カレンダー用紙より突出している部位の前記台紙に形成された眼鏡や筆記具等を収納するポケットとで構成されたカレンダーが開示されている。
【先行技術文献】
【特許文献】
【０００７】
【特許文献１】特開２０１０−８５８５０号公報
【特許文献２】特開２００５−２５４５２９号公報
【特許文献３】特開平０７−２３２４８８号公報
【発明の概要】
【発明が解決しようとする課題】
【０００８】
前記特許文献２，３に見られるような従来の吊り下げ式カレンダーは、カレンダーの吊り下げのために吊り下げ用孔に通すピンやフックが必要であるが、カレンダーを吊り下げる箇所が冷蔵庫、硬い壁、ガラスではピンを刺せなかったり、逆に障子などは柔らかくてピンを保持できなかったり、あるいはフックを設けることができなかったりするため、吊り下げ箇所が制限されていた。
【０００９】
また、以上の用に吊り下げ箇所が制限されるため、カレンダーに直接書き込みしにくい位置あるいは、書き込みできない箇所に吊り下げられている場合には、カレンダーを外して書き込まなくてはならないので手間がかかるという煩わしさがあった。
【００１０】
また、前記特許文献１の掲示用袋の透明部に掲示物に直接書き込み可能にするために窓を形成して掲示用紙収納枠を設けることが考えられるが、袋ごとに表側シートのみに窓部を形成していくには手間がかかり、効率が悪いという問題がある。
【００１１】
そこで、本発明は、貼着面に貼着剥離可能な貼着剥離層を有する掲示用紙収納枠をまとめて効率よく形成することができる掲示用紙収納枠の形成方法を提供するものである。
【課題を解決するための手段】
【００１２】
請求項１の発明は、掲示用紙を収納する掲示用紙収納枠の形成方法において、裏側シートに前記掲示用紙保持枠が形成される表側シートを重ねて矩形で袋状の二重シートを形成し、前記二重シートを複数枚重ねて刃型にてプレスして各二重シートの表側シートと裏側シートに切り離し可能な接続部を適宜数残して不連続の矩形の切り取り線を前記掲示用紙保持枠が形成できる位置に形成し、前記切り取り線を形成した前記二重シートの前記裏側シートの裏面に、貼着面に貼着剥離可能な貼着剥離層を貼着した後、前記表側シートの前記切り取り線内の切除部分を前記切り取り線に沿って切除して切除跡に窓部を形成して前記掲示用紙保持枠を形成することを特徴とする掲示用紙収納枠の形成方法である。
【００１３】
請求項２の発明は、掲示用紙を収納する掲示用紙収納枠の形成方法において、裏側シートに前記掲示用紙保持枠が形成される表側シートを重ねて矩形で袋状の二重シートを二つ連続して形成し、前記二つの連続した二重シートを複数枚重ねて刃型にてプレスして各二重シートの表側シートと裏側シートに切り離し可能な接続部を適宜数残して不連続の矩形の切り取り線を前記掲示用紙保持枠が形成できる位置に形成し、前記切り取り線を形成した前記二つの連続した二重シートの前記裏側シートの裏面に、貼着面に貼着剥離可能な貼着剥離層を貼着した後、前記表側シートの前記切り取り線内の切除部分を前記切り取り線に沿って切除して切除跡に窓部を形成して前記掲示用紙保持枠を形成することを特徴とする掲示用紙収納枠の形成方法である。
【００１４】
請求項３の発明は、掲示用紙を収納する掲示用紙収納枠の形成方法において、前記掲示用紙保持枠の下側に形成される下ポケット側を内側に折り返して折返しシートを形成した裏側シートに前記掲示用紙保持枠が形成される表側シートを重ねて矩形で袋状の二重シートを形成するとともに、前記二重シート側が開放されたポケットを形成し、前記二重シートを複数枚重ねて刃型にてプレスして各二重シートの表側シートと裏側シートに切り離し可能な接続部を適宜数残して不連続の矩形の切り取り線を前記掲示用紙保持枠が形成できる位置に形成し、前記切り取り線を形成した前記二重シートの前記裏側シートの裏面に、貼着面に貼着剥離可能な貼着剥離層を貼着した後、前記表側シートの前記切り取り線内の切除部分を前記切り取り線に沿って切除して切除跡に窓部を形成して前記掲示用紙保持枠を形成することを特徴とする掲示用紙収納枠の形成方法である。
【発明の効果】
【００１５】
本発明の掲示用紙収納枠の形成方法は、表側シートに掲示用紙保持枠を形成するのに、掲示用紙保持枠を形成する表側シートだけに選択的に切り取り線を形成するのではなく、複数枚の矩形で袋状の二重シートを重ねて刃型にてプレスして重ねた各二重シートの表側シートと裏側シートに一度でまとめて切り取り線を形成し、その後、裏側シートに貼着剥離層を設けることにより表側シートのみに掲示用紙保持枠を形成するので、二重シートごとに掲示用紙保持枠を形成するのに比べて製造工程を簡略化することが可能となるだけでなく、作業時間も大幅に短縮することが可能となる。
【図面の簡単な説明】
【００１６】
【図１】本発明の実施例１によるカレンダー用紙の収納枠の形成方法を示し、（ａ）は正面図、（ｂ）は縦断面拡大図である。
【図２】本発明の形成方法において、シートの重ね工程を示す図である。
【図３】本発明の形成方法において、矩形で袋状の二重シートの製造工程を示す図である。
【図４】本発明の形成方法において、切り抜き線の形成工程を示す図である。
【図５】本発明の形成方法において、貼着剥離層の貼着工程を示す図である。
【図６】本発明の形成方法において、窓部を形成した工程を示す図である
【図７】本発明の実施例２の形成方法によるカレンダーの正面図である。
【図８】本発明の実施例２の形成方法において、切り抜き線の形成工程を示す図である。
【図９】本発明の実施例３の形成方法によるカレンダーの正面図である。
【図１０】本発明の実施例３の形成方法において、シートの重ね工程を示す図である。
【図１１】特許文献１に記載された掲示物収納袋を示し、（ａ）は表側、（ｂ）は裏面側を示す図である。
【発明を実施するための形態】
【００１７】
本発明の実施例について図面を参照しながら説明する。
【実施例１】
【００１８】
本実施例はカレンダー用紙の収納枠の形成方法の例である。
【００１９】
図１（ａ）において、矩形の表側シート１と裏側シート２が重ねられて、矩形の四辺のうち、左辺、右辺及び下辺の三辺がシールされ、残りの上辺は開放されてカレンダー用紙３が出し入れ可能なカレンダー用紙出し入れ口４が形成されるとともに、表側シート１には収納されたカレンダー用紙３に直接書き込みができるように窓部５が形成された額縁状のカレンダー用紙保持枠６が形成されている。
【００２０】
図１（ｂ）の縦断面拡大図に示すように、カレンダーの裏側シート２の裏面には、カレンダーを貼着する壁や冷蔵庫の扉などの貼着面に繰り返し貼着剥離可能な貼着剥離層７が設けられている。貼着剥離層７は、例えば、粘着糊層８、仕切シート９、再剥離糊層１０、剥離シート１１で形成される。再剥離糊層１０により、ガラス、金属、木材、タイル、陶磁器、樹脂、紙などの平滑な表面に貼着でき、また平滑な曲面にも貼着できる。また、その他の繰り返し貼着剥離可能な貼着剥離層としては、例えば、弱粘着タイプで再剥離可能なアクリル系の接着剤（例えば、リンテック（株）製の汎用性再剥離タイプである接着剤名「ＭＦ」）を使用することができる。
【００２１】
本実施例のカレンダーは、貼着剥離層７から剥離シート１１を剥離して、壁や冷蔵庫の扉などの貼着面に貼着する。カレンダー用紙３は、カレンダー用紙出し入れ口４からカレンダー用紙保持枠６に入れて保持する。
【００２２】
次に、本実施例１のカレンダー用紙の収納枠の形成方法カについて説明する。
【００２３】
図２（ａ）に示すように、ＰＰ、ＰＥあるいはＰＶＣなどの樹脂シートを巻いたロールから巻き戻された二枚のシートを重ね、表側シート１と裏側シート２を形成する。本実施例の場合は、カレンダー用紙出入り口を形成するため、二枚のシートの上縁をずらして重ねて段違いにしてカレンダー用紙出入り口４の部分を形成し、対向する側を溶着により塞ぐ。
【００２４】
なお、シートを重ねる別のやり方としては、図２（ｂ）に示すように、１枚の長尺のシートの側部の縁をずらして二つ折りにして重ね、表側シート１、裏側シート２、カレンダー用紙出入り口４を形成してもよい。
【００２５】
表側シート１と裏側シート２を重ねた後、図３（ａ）に示すように、高周波シールにより、カレンダー用紙保持枠の底辺、左辺、右辺となる三辺を塞ぐとともに、図３（ｂ）に示すように、カットする。こうして左辺、右辺及び下辺の三辺がシールされ、残りの上辺が開放された二重シート１２ができあがる。
【００２６】
次いで、図４に示すように、複数枚の二重シート１２を重ねた後、刃型にてプレスして、各二重シート１２の表側シートと裏側シートにまとめて矩形の切り取り線１３を形成する。切り取り線１３は掲示用紙保持枠１５が形成できる位置に形成する。なお、切り取り線１３は、プレスにより切除部分１４が枠１５から分離しないように双方を連結するための切り離し可能な接続部１６を適宜数残して不連続の切り取り線１３を形成する。本工程では、掲示用紙保持枠を形成する表側シートだけに選択的に切り取り線を形成するのではなく、複数枚の二重シート１２を重ねて表側シートと裏側シートに同時にプレスして切り取り線を形成するので効率がよい。なお、時間を要するが、二重シート１２を重ねることなく一枚ずつ切り取り線１３を形成することも可能である。
【００２７】
切り取り線１３を形成した後、図５に示すように、二重シートの裏側シート２の裏面には、壁や家具などの貼着面に繰り返し貼着剥離可能な貼着剥離層７が貼着される。貼着剥離層７が裏側シート２に形成されている切除部分１４と枠１５を貼着するので、切除部分１４が脱落することはない。
【００２８】
その後、図６に示すように、表側シートの切り取り線内の切除部分１４を切り取り線１３に沿って切除することによりカレンダー用紙保持枠６が形成されるとともに、切除部分１４の切除跡に窓部５が形成され、窓部５を通してカレンダー用紙に直接筆記可能となる。
【実施例２】
【００２９】
本実施例２は、二つの掲示用紙保持枠を配置した例で、図７に示す例では、二つの掲示用紙保持枠６を上下に配置したもので、例えば、カレンダーの場合、２月分を掲示することが可能となる。掲示用紙保持枠６は、掲示用紙の出し入れ口４が形成されるとともに、掲示用紙に直接書き込みができるように窓部５が形成されている。裏側シート２の裏面には壁や家具などの貼着面に繰り返し貼着剥離可能な貼着剥離層が形成されている。
【００３０】
本実施例２の掲示用紙保持枠６の形成方法は、実施例１の形成方法と同様にして、連続した二つの矩形で袋状の二重シートを形成し、この二つの二重シートを、図８に示すように、複数枚重ねた後、刃型にてプレスして、連続した各二重シート１２にまとめて矩形の切り取り線１３を形成する。
【００３１】
なお、切り取り線１３は、実施例１と同様に、切除部分が枠１５から分離しないよう双方を連結するために接続部１６を適宜数残して打ち抜きして形成する。
【００３２】
切り取り線１３が形成された二重シートの裏面には、壁や家具などの貼着面に繰り返し貼着剥離可能な貼着剥離層が貼着される。
【００３３】
その後表側シートの切除部分１４を切り取り線１３に沿って切除して掲示用紙保持枠６が形成されるとともに、切除部分１４の切除跡に窓部５が形成される。
【実施例３】
【００３４】
本実施例３は実施例１のカレンダー用紙収納枠６の下方にポケット１７を形成した例であり、図９に示すように、カレンダー用紙３の出し入れ口４が形成されるとともに、カレンダー用紙３に直接書き込みができるように窓部５が形成されているカレンダー用紙保持枠６が形成され、その下方に、請求書やメモなどの書類１８が収納できるポケット１７が形成されたものである。裏側シート２の裏面には壁や家具などの貼着面に繰り返し貼着剥離可能な貼着剥離層が形成されている。
【００３５】
本実施例のカレンダーの形成方法は次のとおりである。
【００３６】
図１０に示すように、裏側シート２はポケット１７が形成される側が内側に折り返された折返しシート１９が形成されており、カレンダー用紙保持枠６となる表側シート１が重ねられる。表側シート１は裏側シート２より幅が狭く且つ折返しシート１９に重ならない幅で、カレンダー用紙出入り口４を形成するため、表側シート１と裏側シート２の縁をずらして段違いに重ねられる。
【００３７】
表側シート１のカレンダー用紙保持枠６の底辺となる側が高周波シールで裏側シート２と溶着されて二重シートが形成され、二重シートがカットされる。また、折返しシート１９と裏側シート２を溶着して一辺が開放されたポケット１７が形成される。
【００３８】
次いで、実施例１と同様の手順にしたがって、複数枚の二重シートを重ねた後、刃型にてプレスして、各二重シートにまとめて矩形の切り取り線を形成する。なお、切り取り線は、プレスにより切除部分が枠から分離しないように双方を連結するために接続部を適宜数残して形成する。切り取り線が形成された二重シートの裏面には、壁や家具などの貼着面に繰り返し貼着剥離可能な貼着剥離層が貼着される。その後表側シートの切除部分を切り取り線に沿って切除してカレンダー用紙保持枠が形成されるとともに、切除部分の切除跡に窓部が形成される。
【符号の説明】
【００３９】
１：表側シート
２：裏側シート
３：掲示用紙
４：掲示用紙出し入れ口
５：窓部
６：掲示用紙保持枠
７：貼着剥離層
８：粘着糊層
９：仕切シート
１０：再剥離糊層
１１：剥離シート
１２：二重シート
１３：切り取り線
１４：切除部分
１５：掲示用紙保持枠
１６：接続部
１７：ポケット
１８：書類
【図１】
0005736625.tif 000002
【図２】
0005736625.tif 000003
【図３】
0005736625.tif 000004
【図４】
0005736625.tif 000005
【図５】
0005736625.tif 000006
【図６】
0005736625.tif 000007
【図７】
0005736625.tif 000008
【図８】
0005736625.tif 000009
【図９】
0005736625.tif 000010
【図１０】
0005736625.tif 000011
【図１１】
0005736625.tif 000012